【手続補正書】
【提出日】平成19年5月1日(2007.5.1)
【手続補正１】
【補正対象書類名】特許請求の範囲
【補正対象項目名】全文
【補正方法】変更
【補正の内容】
【特許請求の範囲】
【請求項１】
生物学的システムのコンピュータ実行可能薬物動態学モデル、コンピュータ実行可能データ・エディタ、コンピュータ実行可能レポート・ジェネレータ、前記生物学的システム内の特定の時間期間における化学物質レベルを表すデータ・ストリーム、不揮発性ストレージとメモリとプロセッサを含むコンピュータ・システム、およびコンピュータ実行可能インテグレータの組み合わせにおいて、前記コンピュータ実行可能インテグレータが：
前記生物学的システムのコンピュータ実行可能薬物動態学モデルの少なくとも１つのコンポーネントを検索し、母集団分析のための少なくとも１つのモデル構築補助、前記コンピュータ実行可能データ・エディタ、および前記コンピュータ実行可能レポート・ジェネレータを、前記不揮発性ストレージ内の検索を介して検索するロケータ；
を有し、
前記母集団分析のための少なくとも１つのモデル構築補助は、観察された変量と共変量とプロットの少なくとも１つを視覚化してデータ・ファイル内のエラーを明らかにするデータ集合のチェックアウト、プロット、ステップワイズの一般化加法モデリング（ＧＡＭ）およびツリー・ベースのモデリングを包含する探求ならびに視覚化、および、残差プロットおよび非線形混合効果モデルに特有の仮定の有効性をチェックするプロットを包含するモデル診断、候補共変量識別、およびモデル比較、を容易にし、
前記生物学的システムのコンピュータ実行可能薬物動態学モデルを実行することになる、前記ロケータの検索に基づいて選択されたコントロール・ストリームのためのプロトコル；
前記コントロール・ストリームのためのプロトコルに応答して前記コントロール・ストリームを生成するモデラ；
前記コンピュータ実行可能データ・エディタの実行を始動し、前記ロケータの検索に応答して前記コンピュータ実行可能レポート・ジェネレータの実行をマネージするデータ機能；
前記ロケータの検索、前記プロトコル、前記モデラ、および前記データ機能の少なくとも１つからの結果に応答して構成を保存する手段；
を有する組み合わせ。
【請求項２】
前記コンピュータ実行可能インテグレータは、さらに、前記データ・ストリームを、前記生物学的システムのコンピュータ実行可能薬物動態学モデルによって使用されるデータ・フォーマットと、前記コンピュータ実行可能データ・エディタによって使用されるデータ・フォーマットの間において翻訳するべく機能する変換プロトコルを包含し、前記変換プロトコルが、前記ロケータの検索に応答する、特許請求の範囲第１項に記載の生物学的システムのコンピュータ実行可能薬物動態学モデル、コンピュータ実行可能データ・エディタ、コンピュータ実行可能レポート・ジェネレータ、前記生物学的システム内の特定の時間期間における化学物質レベルを表すデータ・ストリーム、不揮発性ストレージとメモリとプロセッサを含むコンピュータ・システム、およびコンピュータ実行可能インテグレータの組み合わせ。
【請求項３】
前記コンピュータ実行可能インテグレータは、さらに、前記データ・ストリームを、前記生物学的システムのコンピュータ実行可能薬物動態学モデルによって使用されるデータ・フォーマットと、前記コンピュータ実行可能レポート・ジェネレータによって使用されるデータ・フォーマットの間において翻訳するべく機能する変換プロトコルを包含し、前記変換プロトコルが、前記ロケータの検索に応答する、特許請求の範囲第１項に記載の生物学的システムのコンピュータ実行可能薬物動態学モデル、コンピュータ実行可能データ・エディタ、コンピュータ実行可能レポート・ジェネレータ、前記生物学的システム内の特定の時間期間における化学物質レベルを表すデータ・ストリーム、不揮発性ストレージとメモリとプロセッサを含むコンピュータ・システム、およびコンピュータ実行可能インテグレータの組み合わせ。
【請求項４】
前記データ機能は前記ロケータの検索に応答する、特許請求の範囲第１項に記載の生物学的システムのコンピュータ実行可能薬物動態学モデル、コンピュータ実行可能データ・エディタ、コンピュータ実行可能レポート・ジェネレータ、前記生物学的システム内の特定の時間期間における化学物質レベルを表すデータ・ストリーム、不揮発性ストレージとメモリとプロセッサを含むコンピュータ・システム、およびコンピュータ実行可能インテグレータの組み合わせ。
【請求項５】
前記モデラは、前記生物学的システム内の化学物質レベルを表す複数のデータ・ストリームを実行するための複数のコントロール・ストリームを生成する、特許請求の範囲第１項に記載の生物学的システムのコンピュータ実行可能薬物動態学モデル、コンピュータ実行可能データ・エディタ、コンピュータ実行可能レポート・ジェネレータ、前記生物学的システム内の特定の時間期間における化学物質レベルを表すデータ・ストリーム、不揮発性ストレージとメモリとプロセッサを含むコンピュータ・システム、およびコンピュータ実行可能インテグレータの組み合わせ。
【請求項６】
さらに、コンピュータ・プログラミング言語コンパイラを選択する手段を包含する、特許請求の範囲第１項に記載の生物学的システムのコンピュータ実行可能薬物動態学モデル、コンピュータ実行可能データ・エディタ、コンピュータ実行可能レポート・ジェネレータ、前記生物学的システム内の特定の時間期間における化学物質レベルを表すデータ・ストリーム、不揮発性ストレージとメモリとプロセッサを含むコンピュータ・システム、およびコンピュータ実行可能インテグレータの組み合わせ。
【請求項７】
前記生物学的システムのコンピュータ実行可能薬物動態学モデルは、さらに、前記組み合わせと分離して単独に動作可能な、第三者の生物学的システムのコンピュータ実行可能薬物動態学モデルを包含する、特許請求の範囲第１項に記載の生物学的システムのコンピュータ実行可能薬物動態学モデル、コンピュータ実行可能データ・エディタ、コンピュータ実行可能レポート・ジェネレータ、前記生物学的システム内の特定の時間期間における化学物質レベルを表すデータ・ストリーム、不揮発性ストレージとメモリとプロセッサを含むコンピュータ・システム、およびコンピュータ実行可能インテグレータの組み合わせ。
【請求項８】
前記コンピュータ実行可能レポート・ジェネレータは、さらに、前記組み合わせと分離して単独に動作可能な、第三者のコンピュータ実行可能レポート・ジェネレータを包含する、特許請求の範囲第１項に記載の生物学的システムのコンピュータ実行可能薬物動態学モデル、コンピュータ実行可能データ・エディタ、コンピュータ実行可能レポート・ジェネレータ、前記生物学的システム内の特定の時間期間における化学物質レベルを表すデータ・ストリーム、不揮発性ストレージとメモリとプロセッサを含むコンピュータ・システム、およびコンピュータ実行可能インテグレータの組み合わせ。
【請求項９】
組み合わせであって、前記組み合わせと分離して単独に動作可能な生物学的システムのコンピュータ実行可能薬物動態学モデル、コンピュータ実行可能データ・エディタ、前記組み合わせと分離して単独に動作可能なコンピュータ実行可能レポート・ジェネレータ、前記生物学的システム内の特定の時間期間における化学物質レベルを表すデータ・ストリーム、データ・ストレージとプロセッサを含むコンピュータ・システム、およびコンピュータ実行可能インテグレータの組み合わせにおいて、前記コンピュータ実行可能インテグレータが：
前記データ・ストレージ内から検索して、前記生物学的システムのコンピュータ実行可能薬物動態学モデルの少なくとも１つのコンポーネントをロケートするロケータ；
前記ロケータの検索に応答して、前記生物学的システムのコンピュータ実行可能薬物動態学モデルを実行することになるコントロール・ストリームのためのプロトコル；
前記コントロール・ストリーム・プロトコルに応答して前記コントロール・ストリームを生成するモデラ；
を有し、
前記ロケータはさらに前記コンピュータ実行可能データ・エディタを弁別し；
前記ロケータの弁別に応答して前記コンピュータ実行可能データ・エディタの実行をコントロールする手段；
前記データ・ストリームを、前記生物学的システムのコンピュータ実行可能薬物動態学モデルによって使用されるデータ・フォーマットと、前記コンピュータ実行可能データ・エディタによって使用されるデータ・フォーマットの間において翻訳するべく機能する変換プロトコルであって、前記ロケータの検索に応答する変換プロトコル；
を有し、
前記ロケータはさらに前記コンピュータ実行可能レポート・ジェネレータを識別し；
前記コンピュータ実行可能レポート・ジェネレータと互換性があり、前記ロケータの識別に応答してその実行をマネージするデータ機能；
前記データ・ストリームを、前記生物学的システムのコンピュータ実行可能薬物動態学モデルによって使用されるデータ・フォーマットと、前記コンピュータ実行可能レポート・ジェネレータによって使用されるデータ・フォーマットの間において翻訳するべく機能する変換プロトコルであって、前記ロケータの検索に応答する変換プロトコル；
を包含する組み合わせ。
【請求項１０】
生物学的システムのコンピュータ実行可能薬物動態学モデル、コンピュータ実行可能データ・エディタ、コンピュータ実行可能レポート・ジェネレータ、前記生物学的システム内の特定の時間期間における化学物質レベルを表すデータ・ストリーム、およびディスプレイ・ウインドウとメモリとプロセッサを含むコンピュータ・システムの組み合わせにおいて、改良が：
前記ディスプレイ・ウインドウ内に表示されるユーザ・インターフェース；
前記生物学的システムのコンピュータ実行可能薬物動態学モデル、前記コンピュータ実行可能データ・エディタ、および前記コンピュータ実行可能レポート・ジェネレータのいずれかからの出力を、前記生物学的システムのコンピュータ実行可能薬物動態学モデル、前記コンピュータ実行可能データ・エディタ、および前記コンピュータ実行可能レポート・ジェネレータのいずれかの入力に変換するためのプロトコルを有するコンピュータ実行可能インテグレータ；
を有し、
前記コンピュータ実行可能レポート・ジェネレータは、観察された変量と共変量とプロットの少なくとも１つを視覚化してデータ・ファイル内のエラーを明らかにするデータ集合のチェックアウト、プロットおよびモデリングを包含する探求ならびに視覚化、および、残差プロットおよび非線形混合効果モデルに特有の仮定の有効性をチェックするプロットを包含するモデル診断、候補共変量識別、およびモデル比較を容易にする、母集団分析のための少なくとも１つのモデル構築補助を有し、
前記生物学的システムのコンピュータ実行可能薬物動態学モデル、前記コンピュータ実行可能データ・エディタ、および前記コンピュータ実行可能レポート・ジェネレータのそれぞれを起動させるユーザ入力と連動する、前記ユーザ・インターフェース内に表示されるユーザ・コントロール・パネル；および
前記ユーザ・インターフェース内の、前記生物学的システムのコンピュータ実行可能薬物動態学モデルからの出力のディスプレイ；
を有するコンピュータ実行可能コントロール・センタを包含する組み合わせ。
【請求項１１】
さらに、前記データ・ストリームをコンパイルすることと、前記データ・ストリームを用いて前記生物学的システムのコンピュータ実行可能薬物動態学モデルの完全モデリング動作を実行することの間を選択する手段を包含する、特許請求の範囲第１０項に記載の生物学的システムのコンピュータ実行可能薬物動態学モデル、コンピュータ実行可能データ・エディタ、コンピュータ実行可能レポート・ジェネレータ、前記生物学的システム内の特定の時間期間における化学物質レベルを表すデータ・ストリーム、およびディスプレイ・ウインドウとメモリとプロセッサを含むコンピュータ・システムの組み合わせ。
【請求項１２】
前記ロケートする手段、前記プロトコル設定手段、前記コントロール・ストリーム生成手段、前記コンピュータ実行可能データ・エディタ弁別手段、および前記コンピュータ実行可能レポート・ジェネレータ識別手段のうち少なくとも１つからの結果に応答して構成を保存する手段をさらに包含する、特許請求の範囲第９項に記載の生物学的システムのコンピュータ実行可能薬物動態学モデル、コンピュータ実行可能データ・エディタ、コンピュータ実行可能レポート・ジェネレータ、前記生物学的システム内の特定の時間期間における化学物質レベルを表すデータ・ストリーム、データ・ストレージとプロセッサを含むコンピュータ・システム、およびコンピュータ実行可能インテグレータの組み合わせ。
【請求項１３】
前記生物学的システムのコンピュータ実行可能薬物動態学モデルからのランタイム出力をリアルタイムで表示する手段をさらに包含する、特許請求の範囲第１項に記載の生物学的システムのコンピュータ実行可能薬物動態学モデル、コンピュータ実行可能データ・エディタ、コンピュータ実行可能レポート・ジェネレータ、前記生物学的システム内の特定の時間期間における化学物質レベルを表すデータ・ストリーム、不揮発性ストレージとメモリとプロセッサを含むコンピュータ・システム、およびコンピュータ実行可能インテグレータの組み合わせ。